(57)【特許請求の範囲】
【請求項１】
複数の住居棟と、前記住居棟と通信可能な集中棟とで構成される集合住宅に用いられるインターホンシステムであって、
前記住居棟の各々には、
各居室に設置される居室親機と、
前記居室親機と通信可能な複数の端末機器と、
自棟内の前記各居室の前記居室親機と前記複数の端末機器とを通信可能に接続する棟制御機と、
が備えられ、
前記居室親機、前記端末機器、前記棟制御機は、それぞれ、自機の制御に用いる制御内容が登録される設定ファイルを有し、
前記居室親機、前記端末機器、前記棟制御機の各前記設定ファイルに接続可能な設定装置をさらに備え、
前記設定装置は、
少なくとも一つの既登録の前記設定ファイル及び少なくとも一つの未登録の前記設定ファイルに接続する接続部と、
接続した複数の前記設定ファイルの前記制御内容を表示する表示部と、
前記表示部に表示された既登録の前記設定ファイルの前記制御内容を未登録の前記設定ファイルに複写可能に構成された制御部と、が備えられたインターホンシステム。
【請求項２】
前記集中棟は、前記住居棟の前記居室親機と通信可能な集中棟端末機器と、前記集中棟と前記住居棟とを通信可能に接続する集中制御部とを含み、
前記集中棟端末機器は、自機の制御に用いる制御内容が予め登録された設定ファイルを有し、
前記接続部は、前記集中棟端末機器の前記設定ファイルに接続可能に構成され、
前記制御部は、前記集中棟端末機器に予め登録された前記制御内容を、前記住居棟の未登録の前記設定ファイルに複写可能に構成された請求項１に記載のインターホンシステム。
【請求項３】
前記住居棟の前記端末機器は、集合玄関機を含み、
前記集合玄関機は、自機の制御に用いる制御内容が予め登録された前記設定ファイルを有し、
前記接続部は予め登録された前記端末機器の前記設定ファイルに接続するように構成された  請求項１または２に記載のインターホンシステム。
【請求項４】
前記住居棟の前記端末機器は、管理室親機を含み、
前記管理室親機は、自機の制御に用いる制御内容が予め登録された前記設定ファイルを有し、
前記接続部は予め登録された前記端末機器の前記設定ファイルに接続するように構成された請求項１または２に記載のインターホンシステム。
【請求項５】
前記集中棟端末機器は、未登録の前記設定ファイルをさらに有し、
前記制御部は、前記住居棟の前記端末機器の既登録の前記制御内容を未登録の前記集中棟端末機器の前記設定ファイルに複写可能に構成された請求項２に記載のインターホンシステム。
【請求項６】
請求項１から請求項５のいずれか一項に記載の前記接続部、前記表示部、及び前記制御部を有する設定装置。
【発明の詳細な説明】
【技術分野】
【０００１】
本発明は、集合住宅に用いられるインターホンシステムおよび設定装置に関する。
【背景技術】
【０００２】
従来、複数の住居棟と集中棟とで構成される集合住宅向けのインターホンシステムとして、特許文献１記載のインターホンシステムが知られている。【０００３】
特許文献１記載の集合住宅向けのインターホンシステムでは、各住居棟と接続される集中棟の棟制御機で、各住居棟の集合玄関等に設置する集合玄関機から各住居内に設置される居室親機の呼出信号を管理する集中管理を行っている。このような集中管理によれば、住居棟を新たに増設する場合、新たに増設する住居棟等の各種機器の設定については、既存の集中棟の制御機の設定内容を変更すればよく、複数の住居棟の機器の設定変更や新規設定登録を個別に行う必要はない。
【先行技術文献】
【特許文献】
【０００４】
【特許文献１】日本国特開２００４−２６０６７９号公報
【発明の概要】
【発明が解決しようとする課題】
【０００５】
ところで、特許文献１のインターホンシステムにおける呼出信号を管理する集中棟の棟制御機の機能を、各住居棟の棟制御機や集合玄関機などに分散させる分散型のインターホンシステムというものがある。このような分散型のインターホンシステムでは、各住居棟の棟内において、棟制御機、集合玄関機などの各種機器の制御を行う。【０００６】
この分散型のインターホンシステムで、住居棟を新たに増設する場合や、新たな集中棟及び住居棟を増設する場合がある。このような住居棟や集中棟の増設の際には、新たな住居棟の集合玄関機などの各種機器の制御内容や、新たな集中棟の集中集合玄関機などの各種機器の制御内容を、新規に登録する必要がある。
この各種機器の制御内容の新規登録は、機器毎に新規に登録し、または、既登録の他の機器の設定を見ながら１台毎に手作業で入力して登録することにより行われている。【０００７】
しかし、住居棟の機器には棟制御機、集合玄関機等の複数種類があり、各住居棟で設定が必要な機器は数十台と多く、１台毎に新規に制御内容を登録していくと多大な労力と時間がかかってしまう。
住居棟の増設に加えて集中棟及び更なる新規の住居棟を増設する場合には、増設に伴う新規登録が必要な機器も膨大となり、制御内容の新規登録も多大な手間となり、長時間を要することとなる。
既登録の他の機器の設定を見ながら１台毎に手作業で入力して登録する場合には、制御内容を新規に登録するよりも効率が上がるものの、手入力による入力ミスで設定を間違えて登録する可能性も高い。【０００８】
本発明は、住居棟等の各種機器の設定登録を簡略化することが可能なインターホンシステムおよび設定装置を提供することを目的とする。
【課題を解決するための手段】
【０００９】
本発明にかかるインターホンシステムは、複数の住居棟と、前記住居棟と通信可能な集中棟とで構成される集合住宅に用いられるインターホンシステムであって、
前記住居棟の各々には、
各居室に設置される居室親機と、
前記居室親機と通信可能な複数の端末機器と、
自棟内の前記各居室の居室親機と前記複数の端末機器とを通信可能に接続する棟制御機と、
が備えられ、
前記居室親機、前記端末機器、前記棟制御機は、それぞれ、自機の制御に用いる制御内容が登録される設定ファイルを有し、
前記居室親機、前記端末機器、前記棟制御機の各前記設定ファイルに接続可能な設定装置をさらに備え、
前記設定装置は、少なくとも一つの既登録の前記設定ファイル及び少なくとも一つの未登録の前記設定ファイルに接続する接続部と、
接続した複数の前記設定ファイルの前記制御内容を表示する表示部と、
前記表示部に表示された既登録の前記設定ファイルの前記制御内容を未登録の前記設定ファイルに複写可能に構成された制御部と、を備えている。【００１０】
上記構成によれば、住居棟の機器の既登録の設定ファイルの制御内容を、未登録の機器の設定ファイルの制御内容に複写可能なインターホンシステムを提供することができる。【００１１】
また、本発明のインターホンシステムは、
前記集中棟は、前記住居棟の前記居室親機と通信可能な集中棟端末機器と、前記集中棟と前記住居棟とを通信可能に接続する集中制御部とを含み、
前記集中棟端末機器は、自機の制御に用いる制御内容が予め登録された設定ファイルを有し、
前記接続部は、前記集中棟端末機器の前記設定ファイルに接続可能に構成され、
前記制御部は、前記集中棟端末機器に予め登録された前記制御内容を、前記住居棟の未登録の前記設定ファイルに複写可能に構成されていてもよい。【００１２】
上記構成によれば、集中棟端末機器の設定ファイルの制御内容を住居棟の機器の未登録の設定ファイルに複写により登録することができる。【００１３】
また、本発明のインターホンシステムは、
前記住居棟の前記端末機器は、集合玄関機を含み、
前記集合玄関機は、自機の制御に用いる制御内容が予め登録された前記設定ファイルを有し、
前記接続部は予め登録された前記端末機器の前記設定ファイルに接続するように構成されていてもよい。【００１４】
上記構成によれば、既に制御内容が登録されている住居棟の集合玄関機などの端末機器の設定ファイルの内容を、複写により未登録の設定ファイルに登録することができる。【００１５】
また、本発明のインターホンシステムは、
前記住居棟の前記端末機器は、管理室親機を含み、
前記管理室親機は、自機の制御に用いる制御内容が予め登録された前記設定ファイルを有し、
前記接続部は予め登録された前記端末機器の前記設定ファイルに接続するように構成されていてもよい。【００１６】
上記構成によれば、既に制御内容が登録されている住居棟の管理室親機などの端末機器の設定ファイルの内容を、複写により未登録の設定ファイルに登録することができる。【００１７】
また、本発明のインターホンシステムは、
前記集中棟端末機器は、未登録の前記設定ファイルをさらに有し、
前記制御部は、前記住居棟の前記端末機器の既登録の前記制御内容を未登録の前記集中棟端末機器の前記設定ファイルに複写可能に構成されていてもよい。【００１８】
上記構成によれば、住居棟の機器の設定ファイルの既登録の内容を、集中棟端末機器の未登録の設定ファイルに複写により登録することができる。【００１９】
また、本発明の設定装置は、前記接続部、前記表示部、及び前記制御部を有してもよい。【００２０】
上記構成の設定装置によれば、分散型インターホンシステムの設定を簡略化することができる。
【発明の効果】
【００２１】
本発明のインターホンシステムによれば、１台毎の手作業入力に比べて、効率良く機器の設定ファイルの内容を登録することができ、手入力によるミスも減らすことができる。
【図面の簡単な説明】
【００２２】
【図１】本発明の実施形態に係るインターホンシステムの構成図である。
【図２】集合玄関機の機能ブロック図である。
【図３】棟制御部の機能ブロック図である。
【図４】棟制御機の機能ブロック図である。
【図５】集中制御部の機能ブロック図である。
【図６】機器の設定登録に関する説明図であり、設定複写前の画面例である。
【図７】機器の設定登録に関する説明図であり、設定複写後の画面例である。
【図８】機器の設定登録に関する説明図であり、設定複写後の画面例である。
【図９】機器の設定登録に関する説明図であり、設定複写前の画面例である。
【図１０】機器の設定登録に関する説明図であり、設定複写後の画面例である。
【図１１】機器の設定登録に関する説明図であり、第１設定の複写後の画面例である。
【図１２】機器の設定登録に関する説明図であり、第２設定の複写前の画面例である。
【図１３】機器の設定登録に関する説明図であり、第２設定の複写後の画面例である。
【発明を実施するための形態】
【００２３】
以下、本実施形態の一例について、図面を参照して説明する。
【００２４】
本実施形態のインターホンシステムは、管理センター（集中棟の一例）と、管理センターに汎用プロトコルに従って通信が行われるネットワークを介して接続される複数の住居棟で構成されるマンション等の集合住宅に用いられるシステムである。住居Ａ棟〜住居Ｅ棟の各々の棟は、集合玄関機（端末機器の一例）と、管理室親機（端末機器の一例）と、居室親機と、棟制御部とを備えて構成されている。
図１に示すインターホンシステム１は、管理センター５−１にネットワークＮ（本例では、ＬＡＮ：Local Area Network）を介して接続される住居Ａ棟〜住居Ｅ棟と、管理センター５−２にネットワークＮ（ＬＡＮ：Local Area Network）を介して接続される住居Ａ棟〜住居Ｅ棟で構成されている。
【００２５】
管理センター５−１に接続される住居Ａ棟は、集合玄関機１０Ａ、１１Ａ，１２Ａと、管理室親機２０Ａと、居室親機３０Ａ，３１Ａ，３２Ａ，３３Ａ，３４Ａ，３５Ａと、棟制御部４０Ａとを備えている。管理センター５−１に接続される住居Ｂ棟も、住居Ａ棟と同様に、集合玄関機１０Ｂ、１１Ｂ，１２Ｂと、管理室親機２０Ｂと、居室親機３０Ｂ，３１Ｂ，３２Ｂ，３３Ｂ，３４Ｂ，３５Ｂと、棟制御部４０Ｂとを備えている。
住居Ｃ棟、住居Ｄ棟、住居Ｅ棟にも、住居Ａ棟及び住居Ｂ棟と同様に、集合玄関機１０Ｃ…、１０Ｄ…、１０Ｅ…と、管理室親機２０Ｃ、２０Ｄ、２０Ｅと、居室親機３０Ｃ…、３０Ｄ…、３０Ｅ…と、棟制御部４０Ｃ，４０Ｄ、４０Ｅとが備えられている。
住居Ａ棟〜住居Ｅ棟の各機器である集合玄関機、居室親機、棟制御部は同様の構成であるので、以下、管理センター５−１に接続された住居Ａ棟に備えられた各機器について説明し、管理センター５−１に接続された住居Ｂ棟〜住居Ｅ棟の各機器の説明を省略する。
【００２６】
住居Ａ棟の集合玄関機１０Ａ、１１Ａ，１２Ａは、集合住宅の集合玄関や共用スペース等に設置されている。集合玄関機１０Ａ、１１Ａ，１２Ａは、例えば自棟内の居室親機３０Ａや自棟内の管理室親機２０Ａを呼び出すことができるように構成されている。また、集合玄関機１０Ａ、１１Ａ，１２Ａは、例えば訪問者の映像を撮像することができるように構成されている。
集合玄関機としては、例えば集合玄関機１０Ａに示されるように、部屋番号をテンキーで入力する方式のもの、集合玄関機１１Ａに示されるように、名称と対応づけられている専用ボタンを押下する方式のもの、集合玄関機１２Ａに示されるように、テンキーと専用ボタンの両方式を可能とするもの、部屋番号と同数の専用ボタンを押下する方式のもの（不図示）等がある。
集合玄関機１０Ａ、１１Ａ，１２Ａは、インターホン回線（専用線）Ｌ１を介して棟制御部４０Ａと通信可能に接続されている。
【００２７】
集合玄関機１０Ａ、１１Ａ，１２Ａは、互いに同様の構成であるので、以下、集合玄関機１０Ａについて説明し、集合玄関機１１Ａ、１２Ａについての説明を省略する。
【００２８】
図１に示す集合玄関機１０Ａは、図２に示すように、呼出部１０１と、記憶部１０２と、カメラ１０３と、集合玄関表示部１０４と、通話部１０５と、集合玄関機ＣＰＵ１０６（処理部の一例）と、集合玄関機インターフェース（以下、インターフェースをＩ／Ｆと称する）１０７（送信部の一例）とを備えている。
【００２９】
呼出部１０１は、訪問者等が訪問先の居室親機３０Ａや管理室の管理室親機２０Ａを呼び出す際に操作される。呼出部１０１は、呼出先を入力するための入力ボタン（テンキーや専用ボタン等）１１１や、入力ボタンを操作した後に操作される呼出ボタン１１２等を有する。
【００３０】
記憶部１０２には、集合玄関機１０Ａの設定ファイルが記憶されている。集合玄関機１０Ａの設定ファイルには、自機の制御内容及び関連する機器の制御内容が記憶されている。
自機の制御内容は、一例として、自棟である住居Ａ棟内の各居室の部屋番号、居住者の氏名及び各居室の名称（例えばテナント名等）、各居室の居室親機３０Ａ、…３５Ａを特定する居室親機ＩＤ（ＩＤ：identification）（居室親機特定情報の一例）等の項目内容や、各種の呼出テーブル等が記憶されている。各種の呼出テーブルは、一例として、自棟内の各居室の部屋番号と各居室の居室親機ＩＤとが対応づけられた呼出テーブルや、自棟内の各居室の部屋番号と各居室の居住者の氏名や各居室の名称と居室親機ＩＤとが対応づけられた呼出テーブル等である。
また、集合玄関機１０Ａの設定ファイルには、関連する機器の制御内容として、集合玄関機１０Ａが呼び出すことのできる自棟の機器の設定ファイルの制御内容を記憶している。関連する機器は、一例として、図１に示す管理センター５−１に接続される住居Ａ棟の居室親機３０Ａ、…、３５Ａや管理室親機２０Ａであり、関連する機器の制御内容は、居室親機３０Ａ、…、３５Ａや管理室親機２０Ａが自機の制御内容として記憶している設定ファイルの制御内容である。
【００３１】
図２に示す集合玄関機１０Ａのカメラ１０３は、集合玄関機１０Ａを操作する訪問者等を撮像する。集合玄関表示部１０４は、呼出部１０１から入力される部屋番号や、訪問者に対するメッセージや、カメラ１０３が撮像している訪問者の映像等が表示される。通話部１０５は、居住者や管理人と通話するためのマイク及びスピーカで構成されている。
【００３２】
集合玄関機ＣＰＵ１０６は、集合玄関機１０Ａ、…１２Ａを構成する各部の動作を制御するための処理を行う。例えば、集合玄関機ＣＰＵ１０６は、部屋番号や名称が入力されると、呼出テーブルに基づいて、入力された信号を呼出先の居室親機３０Ａの居室親機ＩＤに変換する。また、例えば、集合玄関機ＣＰＵ１０６は、集合玄関機１０Ａを動作させるドライバー（ソフトウェア）を実行する。また、例えば、集合玄関機ＣＰＵ１０６は、集合玄関表示部１０４の表示内容にバグが発生したりフリーズが発生した場合に集合玄関機１０Ａの再起動を実行する。
集合玄関機Ｉ／Ｆ１０７は、集合玄関機ＣＰＵ１０６とインターホン回線Ｌ１間における双方向の信号伝送路を形成する。
【００３３】
図１に示す住居Ａ棟の管理室親機２０Ａは、集合住宅の管理室に設置されている。管理室親機２０Ａは、例えば自棟内の居室親機３０Ａを呼び出すことができるように構成されている。また、管理室親機２０Ａは、操作部２０１、通話部２０２、表示部２０３などを備えており、集合玄関機１０Ａ、１１Ａ，１２Ａに居る訪問者や、居室親機３０Ａに居る居住者と通話可能に構成されている。管理室親機２０Ａは、インターホン回線Ｌ２を介して棟制御部４０Ａと通信可能に接続されている。
【００３４】
管理室親機２０Ａには、自機である管理室親機２０Ａの制御内容及び関連する他の機器の制御内容が登録された設定ファイルが記憶されている。
自機の制御内容は、一例として、管理室親機２０Ａを特定する管理室親機ＩＤ（管理室親機特定情報の一例）、自棟内の各居室の部屋番号、各居室の居住者の氏名、各居室の名称各居室の居室親機３０Ａ、…、３５Ａ、…を特定する居室親機ＩＤ（居室親機特定情報）等の設定項目名や、各種機器の呼出テーブル等である。呼出テーブルは、一例として、自棟内の各居室の部屋番号と各居室の居室親機ＩＤとが対応づけられた呼出テーブルや、自棟内の各居室の部屋番号と各居室の居住者の氏名や各居室の名称と居室親機ＩＤとが対応づけられた呼出テーブル等である。
また、管理室親機２０Ａの設定ファイルには、関連する他の機器の制御内容が記憶されている。関連する機器は、一例として、管理室親機２０Ａが呼び出すことができる自棟（管理センター５−１の住居Ａ棟）の居室親機３０Ａや、管理室親機２０Ａと通信可能な自棟の集合玄関機１０Ａ、１１Ａ、１２Ａ及び棟制御部４０Ａである。関連する他の機器の制御内容は、管理センター５−１の住居Ａ棟の集合玄関機１０Ａ，１１Ａ，１２Ａ、居室親機３０Ａ、…３５Ａ、棟制御部４０Ａの各機器が自機の制御内容として記憶している設定ファイルの制御内容である。
【００３５】
図１に示す管理センター５−１の居室親機３０Ａ，３１Ａ，３２Ａ，３３Ａ，３４Ａ，３５Ａ、…は、集合住宅の各住戸内に設置されている。居室親機３０Ａ，３１Ａ，３２Ａ，３３Ａ，３４Ａ，３５Ａ、…は、互いに同様の構成であるので、以下、居室親機３０Ａについて説明し、居室親機３１Ａ，３２Ａ，３３Ａ，３４Ａ，３５Ａ、…の説明を省略する。
【００３６】
図１に示す居室親機３０Ａは、表示部３０１、操作部３０２、通話部３０３などを備えており、例えば集合玄関機１０Ａ，１１Ａ，１２Ａや管理室親機２０Ａからの呼び出しに対して応答できるように構成されている。
居室親機３０Ａは、インターホン回線Ｌ３を介して棟制御部４０Ａと通信可能に接続されている。
なお、各居室親機３０Ａ…３５Ａを呼び出す機能を有する端末機器は、集合玄関や管理室の他に例えば共用部として使用されるパーティールームや正面玄関以外のサブ玄関等に配置されても良い。
【００３７】
居室親機３０Ａには、自機の制御内容及び関連する他の機器の制御内容が登録された設定ファイルが記憶されている。
自機の制御内容は、一例として、居室親機ＩＤ、自棟内の各居室の部屋番号、居住者の氏名や各居室の名称等の設定項目名や、各種機器の呼出テーブル等である。呼出テーブルは、一例として、自棟内の各居室の部屋番号と各居室の居室親機ＩＤとが対応づけられた呼出テーブルや、自棟内の各居室の部屋番号と各居室の居住者の氏名や各居室の名称と居室親機ＩＤとが対応づけられた呼出テーブル等である。
また、居室親機３０Ａの設定ファイルには、関連する他の機器の制御内容として、居室親機３０Ａを呼び出す各機器の設定ファイルの制御内容が記憶されている。
関連する他の機器は、一例として、居室親機３０Ａを呼び出す自棟である住居Ａ棟の集合玄関機１０Ａ、１１Ａ，１２Ａや管理室親機２０Ａであり、関連する機器の制御内容は、集合玄関機１０Ａ，１１Ａ，１２Ａ及び管理室親機２０Ａが、自機の制御内容として記憶している設定ファイルの制御内容である。
【００３８】
図１、図３及び図４に示す棟制御部４０Ａは、インターホン回線を介して自棟（住居Ａ棟）の集合玄関機１０Ａ、１１Ａ，１２Ａ、管理室親機２０Ａ、及び居室親機３０Ａ…との間の通信等を制御している。また、棟制御部４０Ａは、ネットワークＮを介して、他の住居棟（本例では管理センター５−１の住居Ｂ棟〜住居Ｅ棟）の棟制御部４０Ｂ、…４０Ｅ、及び管理センター５−１の集中制御部７０（後述する）と通信可能に接続されている。
管理センター５−１の住居Ａ棟の棟制御部４０Ａと、住居Ｂ棟〜住居Ｅ棟の棟制御部４０Ｂ、４０Ｃ、４０Ｄ、４０Ｅとは同様の構成であるので、以下、管理センター５−１の住居Ａ棟の棟制御部４０Ａについて説明し、住居Ｂ棟〜住居Ｅ棟の棟制御部４０Ｂ、４０Ｃ、４０Ｄ、４０Ｅについての説明を省略する。
【００３９】
図１に示す棟制御部４０Ａは、図３に示すように、棟制御機４１０と、映像制御機４２０と、オーディオ制御機４３０と、棟制御部Ｉ／Ｆ４４０（棟送信部の一例）とを備えている。また、図４に示すように、棟制御機４１０は、棟記憶部４１１と、棟制御機ＣＰＵ４１２（棟処理部の一例）と、信号変換部４１３とを備えている。
【００４０】
棟制御機４１０の棟記憶部４１１には、棟制御部４０Ａの設定ファイルが記憶されている。
棟制御部４０Ａの設定ファイルには、自機の制御内容及び関連する他の機器の制御内容が記憶されている。
自機の制御内容は、一例として、自棟の棟制御部４０Ａの棟制御部ＩＤ等の設定項目名や、各機器の呼出テーブル等である。呼出テーブルは、一例として、棟制御部４０Ａが通信を行う集合玄関機１０Ａ、１１Ａ、１２Ａ、管理室親機２０Ａ、居室親機３０Ａ、及び棟制御部４０Ａが通信を行う住居Ｂ棟〜住居Ｅ棟の棟制御部４０Ｂ、…、４０Ｅ、管理センター５−１の集中制御部７０の各機器のＩＤが対応づけられた呼出テーブル等である。
また、棟制御部４０Ａの設定ファイルには、関連する他の機器の制御内容が記憶されている。関連する他の機器は、一例として、自棟である住居Ａ棟の集合玄関機１０Ａ、１１Ａ，１２Ａ、管理室親機２０Ａ、居室親機３０Ａ、及び通信可能な自棟の管理センター５−１の集中制御部７０などの各機器がある。関連する機器の制御内容は、一例として、自棟（住居Ａ棟）の集合玄関機１０Ａ，１１Ａ，１２Ａ，管理室親機２０Ａ、居室親機３０Ａ、自棟の管理センター５−１の集中制御部７０が、それぞれ自機の制御内容として記憶している設定ファイル内容である。
【００４１】
棟制御機ＣＰＵ４１２は、棟制御機４１０を構成する各部の動作を制御するための処理を行う。例えば、棟制御機ＣＰＵ４１２は、部屋番号や名称を呼び出す信号が管理センター５−１から送信されてくると、呼出テーブルに基づいて、入力された信号を呼出先の居室親機３０Ａの居室親機ＩＤに変換する。
【００４２】
信号変換部４１３は、インターホン回線Ｌ１〜Ｌ３で使用される信号とネットワークＮで使用される信号とを相互に変換処理するための回路である。信号変換部４１３は、アナログデジタル変換部と、デジタルアナログ変換部とを有する。
アナログデジタル変換部（以下、アナログデジタルをＡ／Ｄと称する）は、各々の住宅棟内におけるインターホン回線Ｌ１〜Ｌ３で通信可能なアナログ信号を、各住居棟間及び住居棟と管理センター間におけるネットワークＮで通信可能なデジタル信号に変換する。
一方、デジタルアナログ変換部（以下、デジタルアナログをＤ／Ａと称する）は、各住居棟間及び住居棟と管理センター間におけるネットワークＮで通信可能なデジタル信号を、各々の住宅棟内におけるインターホン回線で通信可能なアナログ信号に変換する。
【００４３】
映像制御機４２０は、集合玄関機１０Ａのカメラ１０３で撮像された映像信号や、管理センター５−１から送信されてきた映像信号を信号処理するとともに、処理した映像信号を自棟内の各居室親機３０Ａ、あるいは管理室親機２０Ａに向けて送信する。オーディオ制御機４３０は、集合玄関機１０Ａの通話部１０５からの音声信号や、管理室親機２０Ａの通話部２０２からの音声信号や、管理センター５から送信されてきた音声信号を音声処理するとともに、処理した音声信号を自棟内の各居室親機３０Ａ、あるいは管理室親機２０Ａに向けて送信する。
【００４４】
棟制御部Ｉ／Ｆ４４０は、棟制御機４１０、映像制御機４２０、及びオーディオ制御機４３０とインターホン回線Ｌ１〜Ｌ３間における双方向の信号伝送路を形成する。
【００４５】
管理センターは、住居Ａ棟〜住居Ｅ棟の集合住宅全体を管理することができるように構成されており、図１には管理センター５−１、５−２が示されている。
管理センター５−１，５−２は、それぞれ、集中棟端末機器と集中制御部とを備えている。集中棟端末機器の一例として、図１に、集中集合玄関機５０及び集中管理室親機６０が示されている。
管理センター５−１、５−２は、同様の構成であるので、以下、管理センター５−１について説明し、管理センター５−２の説明を省略する。
【００４６】
図１に示す管理センター５−１の集中集合玄関機５０は、管理センター５−１の玄関に設置されている。集中集合玄関機５０は、呼出部５０１、表示部５０２、カメラ５０３、通話部５０４等を有している。集中集合玄関機５０は、例えば管理センター５−１に接続された各住居棟の特定の居室親機３０や管理センター５−１の集中管理室親機６０を呼び出すことができるように構成されている。また、集中集合玄関機５０は、例えば訪問者の映像を撮像することができるように構成されている。集中集合玄関機５０は、インターホン回線Ｌ４を介して集中制御部７０と通信可能に接続されている。
【００４７】
集中集合玄関機５０は、自機の制御内容及び関連する他の機器の制御内容が登録された設定ファイルが記憶されている。
自機の制御内容は、集中集合玄関機５０を特定する集中集合玄関機ＩＤ、ネットワークＮで接続されている住居Ｂ棟〜住居Ｅ棟の各機器のＩＤ等の項目名や、各機器のＩＤが対応づけられた呼出テーブル等である。
関連する他の機器の制御内容は、管理センター５−１の集中管理室親機６０、集中制御部７０がそれぞれ自機の制御内容として記憶している設定ファイルの制御内容や、インターホン回線で接続される住居Ａ棟〜住居Ｅ棟の各機器がそれぞれ自機の制御内容として記憶している設定ファイルの制御内容等である。
【００４８】
図１に示す集中管理室親機６０は、管理センター５−１の管理室に設置されている。集中管理室親機６０は、操作部６０１、通話部６０２、表示部６０３等を有している。集中管理室親機６０は、例えば各棟の居室親機３０を呼び出すことができるように構成されている。また、集中管理室親機６０は、集中集合玄関機５０に居る訪問者や、居室親機３０に居る居住者と通話可能に構成されている。集中管理室親機６０は、インターホン回線Ｌ５を介して集中制御部７０と通信可能に接続されている。
【００４９】
集中管理室親機６０には、自機の制御内容及び関連する他の機器の制御内容が登録された設定ファイルが記憶されている。
自機の制御内容は、集中管理室親機６０の集中管理室親機ＩＤ、住居Ａ棟〜住居Ｅ棟内の各居室の部屋番号、各居室の居住者の氏名や各居室の名称、居室親機ＩＤ等の項目名や、各種機器の呼出テーブル等である。呼出テーブルは、一例として、住居Ａ棟〜住居Ｅ棟内の各居室の部屋番号と各居室の居室親機ＩＤとが対応づけられた呼出テーブル、住居Ａ棟〜住居Ｅ棟内の各居室の部屋番号と各居室の居住者の氏名や各居室の名称と居室親機ＩＤとが対応づけられた呼出テーブル等である。
関連する他の機器は、一例として、管理センター５−１の集中集合玄関機５０、集中制御部７０、住居Ａ棟〜住居Ｅ棟の各機器であり、集中管理室親機６０の設定ファイルに記憶される関連する他の機器の制御内容は、一例として、管理センター５−１の集中集合玄関機５０、集中制御部７０、住居Ａ棟〜住居Ｅ棟の各機器が、それぞれ自機の制御内容として記憶している設定ファイルの制御内容である。
【００５０】
図１及び図５に示す集中制御部７０は、例えばインターホン回線を介して接続されている集中集合玄関機５０、及び集中管理室親機６０との間の通信の送受を制御している。また、集中制御部７０は、ネットワークＮを介して、管理センター５−１の住居Ａ棟〜住居Ｅ棟の各棟制御部４０Ａ、…４０Ｅと通信可能に接続されている。
【００５１】
図５に示すように、集中制御部７０は、集中制御機７１０と、映像制御機７２０と、オーディオ制御機７３０と、集中制御部Ｉ／Ｆ７４０とを備えている。また、集中制御機７１０は、Ａ／Ｄ変換部と、Ｄ／Ａ変換部とを備えている。
【００５２】
集中制御機７１０のＡ／Ｄ変換部は、管理センター５−１内におけるインターホン回線Ｌ４，Ｌ５で通信可能なアナログ信号を、管理センター５−１と各住居棟間におけるネットワークＮで通信可能なデジタル信号に変換する。一方、Ｄ／Ａ変換部は、管理センター５−１と各住居棟間におけるネットワークＮで通信可能なデジタル信号を、管理センター５−１内におけるインターホン回線Ｌ４，Ｌ５で通信可能なアナログ信号に変換する。
【００５３】
映像制御機７２０は、集中集合玄関機５０のカメラ５０３で撮像された映像信号を信号処理するとともに、処理した映像信号を各住居棟の棟制御機４１０に向けて送信する。オーディオ制御機７３０は、集中集合玄関機５０の通話部５０４からの音声信号や、集中管理室親機６０の通話部６０２からの音声信号を音声処理するとともに、処理した音声信号を各住居棟の棟制御機４１０に向けて送信する。
集中制御部Ｉ／Ｆ７４０は、集中制御機７１０、映像制御機７２０、及びオーディオ制御機７３０とインターホン回線Ｌ４，Ｌ５間における双方向の信号伝送路を形成する。
【００５４】
集中制御機７１０には、集中制御部７０の設定ファイルが記憶されている。
集中制御部７０の設定ファイルには、自機の制御内容及び関連する他の機器の制御内容が記憶されている。
集中制御部７０の設定ファイルは、自機の制御内容として、集中制御部７０の集中制御部ＩＤ等の項目名や、各種機器の呼出テーブル等が記憶されている。
また、集中制御部７０の設定ファイルは、関連する他の機器の制御内容を記憶している。
関連する他の機器は、一例として、通信を行う集中集合玄関機５０、集中管理室親機６０、管理センター５−１の住居Ｂ棟〜住居Ｅ棟の棟制御部４０Ｂ〜４０Ｅなどであり、関連する他の機器の制御内容は、一例として、集中集合玄関機５０、集中管理室親機６０、管理センター５−１の住居Ｂ棟〜住居Ｅ棟の棟制御部４０Ｂ〜４０Ｅが各自機の制御内容として記憶している制御内容である。
【００５５】
＜設定装置の構成＞
本実施形態のインターホンシステムは、居室親機、端末機器、棟制御機などの各機器の設定ファイルに接続可能な設定装置を備えている。
以下、図１、図６〜図１３を用いて、設定装置について説明する。
【００５６】
設定装置は、各種機器の設定ファイルに接続する接続部と、表示部と制御部を備えている。表示部は、設定装置に接続された複数の機器の設定ファイルの状態を表示するように構成されている。この設定ファイルの状態の表示には、設定ファイルの既登録の内容を表示すること、及び未登録の設定ファイルについて未登録状態を示す空欄を表示することを含む。
制御部は、表示部に表示された設定ファイルの状態のうち既登録の設定ファイルの制御内容を未登録の設定ファイルに複写可能に構成されている。制御部は、既存のＣＰＵ等の処理装置を用いることができる。
【００５７】
図１には、設定装置の一例として、各機器に接続可能な接続部８１Ａ、８２Ａ、８３Ａと、設定ファイルを表示する表示装置８４Ａと、設定ファイルを複写可能な制御部８５Ａを含む設定装置８が示されている。
【００５８】
接続部８１Ａ，８２Ａ，８３Ａは、各住居棟の端末機器（集合玄関機、管理室親機）、居室親機、棟制御機や、集中棟である管理センターの集中棟端末機器（集中集合玄関機、集中管理室親機）、集中制御部などの複数機器の各設定ファイルと接続可能に構成されている。接続部８１Ａ，８２Ａ，８３Ａと機器との接続は、ケーブル及び端子部等の部材による有線接続であってもよく、汎用プロトコルに従って行う無線接続であってもよい。有線接続される接続部は、端子の形状や規格、コードの規格が合致する既存の各種のコードやケーブルを用いることができる。
図１には接続部８１Ａ，８２Ａ，８３Ａの３個を示したが、接続部の数は３に限らず、設定ファイルの登録に必要な任意の数とすることができる。例えば、１台の機器の設定ファイルを読み込んで一時保存した状態を維持しながら、機器と設定装置８との接続を解除して、別の機器に接続部を接続し、この別の機器に一時保存した設定ファイルの内容を複写する場合には、接続部は１つでよい。３台の機器と設定装置８とを同時に接続し、接続したうちの２台から既登録の設定ファイルを読み込んで、他の１台に設定ファイルの内容を複写する場合には、図１に示すように３個の接続部８１Ａ，８２Ａ，８３Ａを用いることができる。
【００５９】
表示部８４Ａは、図１及び図６〜図１３に示すように、各種機器の設定ファイルの状態を表示する表示画面を含んで構成されている。
この表示部８４Ａは、設定ファイルを表示可能な媒体であれば特に限定されず、一例として、壁面に設置するモニタ画面等の既存の表示装置や、マウスなどの外部入力手段により操作可能なパソコン等を用いることができる。
表示部８４Ａは、接続部８１Ａ、８２Ａ，８３Ａ、…で接続された集合玄関機１０Ａ等の各機器の設定ファイルの状態を表示する欄を有しており、本実施形態では、図６〜図１３の右側に示す設定ファイル内容表示欄８４ＡＲと、図６〜図１３の左側に示す設定ファイル内容表示欄８４ＡＬとを含んで構成されている。
図６〜図１３では、表示部８４Ａを設定ファイル内容表示欄８４ＡＬ，８４ＡＲの２種類で構成したが、設定ファイル内容表示欄の個数は２に限らず、接続する機器数の増減や設定登録の項目数の増減等に合わせて任意の個数とすることができる。例えば、表示部８４Ａの設定ファイルの状態を表示する欄を、表示部８４Ａの左側に第一設定ファイル内容表示欄、表示部８４Ａの中央に第二設定ファイル内容表示欄、表示部８４Ａの右側に第三設定ファイル表示欄の３欄としてもよい。
【００６０】
表示部８４Ａの設定ファイルの状態は、設定ファイルの既登録の内容（既登録の項目名、既登録の制御内容）、未登録設定ファイルであることを示す空欄等が含まれる。
図６〜図１３の設定ファイル内容表示欄８４ＡＬ及び図７、図８、図１０〜図１３の設定ファイル内容表示欄８４ＡＲには既登録の設定ファイルの項目名が表示されており、図６、図９の設定ファイル内容表示欄８４ＡＲには未登録の設定ファイルの空欄が表示されている。
【００６１】
図６〜図１３に示す表示部８４Ａには、設定ファイル内容表示欄８４ＡＬの付近に、「Ｓａｖｅ」欄、「Ｓｅｌｅｃｔ  ｃｏｍｐａｒｉｓｏｎ」欄及び「Ｅｘｉｔ」欄が示されている。
「Ｓａｖｅ」欄をクリック等で選択する操作を行うと、表示部８４Ａに表示された内容が制御部に保存されるようになっている。
「Ｓｅｌｅｃｔ  ｃｏｍｐａｒｉｓｏｎ」欄をクリック等で選択する操作を行うと、表示部８４Ａに表示される設定ファイルの参照先を選択できるようになっている。
「Ｅｘｉｔ」欄をクリック等で選択する操作を行うと、表示部８４Ａに表示された設定ファイルの参照先及び表示部８４Ａに表示された設定ファイルの複写先の各機器と設定装置８との接続が解除されるようになっている。
なお、図６〜図１３の表示部８４Ａに選択可能に表示される各欄は、図６〜図１３に示したものに限らず、汎用のコンピュータ等で一般的に用いられる項目を表示部に表示させて選択する操作ができるように構成してもよい。
【００６２】
図６〜図１３に示す表示部８４Ａには、設定ファイル内容表示欄８４ＡＬと設定ファイル内容表示欄８４ＡＲとの間である中央付近に、Ｃｏｐｙ指示欄８４ＡＣが示されている。このＣｏｐｙ指示欄８４ＡＣは、設定ファイル内容表示欄８４ＡＲの表示内容を設定ファイル内容表示欄８４ＡＬの設定ファイルに複写する操作用ボタンとして「Ｔｏ  ｌｅｆｔ」欄及び「＜＜」ボタンが示され、設定ファイル内容表示欄８４ＡＬの表示内容を設定ファイル内容表示欄８４ＡＲの設定ファイルに複写する操作用ボタンとして「Ｔｏ  ｒｉｇｈｔ」欄及び「＞＞」ボタンが示されている。
また、図６〜図１３の表示部８４Ａの設定ファイル内容表示欄８４ＡＲの付近に、全Ｃｏｐｙ指示欄８４Ａａｌｌが示されている。この全Ｃｏｐｙ指示欄８４Ａａｌｌは、設定ファイル内容表示欄８４ＡＲの表示内容を設定ファイル内容表示欄８４ＡＬの設定ファイルに複写する操作用ボタンとして「＜＜」ボタンが示され、設定ファイル内容表示欄８４ＡＬの表示内容を設定ファイル内容表示欄８４ＡＲの設定ファイルに複写する操作用ボタンとして「＞＞」ボタンが示されている。
【００６３】
また、図６〜図１３の設定ファイル内容表示欄８４ＡＬの付近に、データ更新指示部８４Ａｕｐとして「Ｕｐｄａｔｅ」が示されている。このデータ更新指示部８４Ａｕｐは、クリック等の選択操作を行うことにより、設定ファイル内容表示欄８４ＡＲまたは設定ファイル内容表示欄８４ＡＬにおける直前の操作内容を実行するように構成されている。
なお、図７の設定ファイル内容表示欄８４ＡＬにおいて、「Ｒｅｇｉｓｔｒａｔｉｏｎ」の項番２の欄のみに「Ｕｎｄｏ」（元に戻す）の項目が表示されている。この「Ｕｎｄｏ」ボタンをクリック等で選択する操作を行うと、直前の操作は取り消されて、表示部８４Ａの表示状態が直前の状態に戻るようになっている。
【００６４】
表示部８４Ａに表示される設定ファイルの内容は、各機器の設定ファイルの内容に依存するが、一例として、集合玄関機１０Ａが記憶する呼び出しテーブルや、図６〜図１３に示す各項目が表示される。
図６の表示部８４Ａの設定ファイル内容表示欄８４ＡＬには、集合玄関機１０Ａに登録されている集合玄関機１０Ａの自機の登録項目名が表示されており、設定ファイル内容表示欄８４ＡＬの左から順に「Ｒｅｇｉｓｔｒａｔｉｏｎ」「Ｕｎｉｔ」「Ｒｅｓｉｄｅｎｔ  Ｎａｍｅ」「Ｑｕｉｃｋ  Ｌｉｓｔ」「Ｃａｌｌ  Ｂｕｔｔｏｎ」「Ｕｎｉｔ  Ｌｉｎｋ−ＩＤ  Ｓｅｔｔｉｎｇ」が表示されている。
「Ｒｅｇｉｓｔｒａｔｉｏｎ」は集合玄関機１０Ａに登録されている設定の個数を示しており、図６では集合玄関機１０Ａと接続されている居室の数と同数の数値１〜６が表示されている。
「Ｕｎｉｔ」は集合玄関機１０Ａに接続されている居室の居室番号が登録されており、図６では１０１号室から１０３号室、２０１号室から２０３号室の６部屋の部屋番号が表示されている。
「Ｒｅｓｉｄｅｎｔ  Ｎａｍｅ」は居住者名であり、図６には「ＬＩＡＭ」「ＮＯＡＨ」…「ＢＥＮＪＡＭＩＮ」が居住者名として表示されている。
「Ｃａｌｌ  Ｂｕｔｔｏｎ」は集合玄関機１０Ａに設けられたボタンを示しており、図６に示した「Ｃａｌｌ  Ｂｕｔｔｏｎ」の数値１〜６は各居室に１台設置される居室親機３０Ａの設置数が６台であることを表示している。
図６の「Ｕｎｉｔ  Ｌｉｎｋ−ＩＤ  Ｓｅｔｔｉｎｇ」は居室親機３０Ａの通信用ＩＤを示している。図６に示す「Ｕｎｉｔ  Ｌｉｎｋ−ＩＤ  Ｓｅｔｔｉｎｇ」の「Ａ１」は、１０１号室の居室親機３０Ａに関する通信用ＩＤが「Ａ１」であり、「Ｕｎｉｔ  Ｌｉｎｋ−ＩＤ  Ｓｅｔｔｉｎｇ」の「Ｂ３」は、２０３号室の居室親機３０Ａに関する通信用ＩＤが「Ｂ３」であることを表示している。
【００６５】
図９の表示部８４Ａの設定ファイル内容表示欄８４ＡＬには、管理センター５−１の集中制御機７０が記憶している自機の制御内容及び関連機器の制御内容が表示されており、設定ファイル内容表示欄８４ＡＬの左から順に「Ｓｅｃｔｉｏｎ」「Ｓｅｃｔｉｏｎ  Ｎａｍｅ」「ＩＰ  Ａｄｄｒｅｓｓ」の各項目が表示されている。
図９の「Ｓｅｃｔｉｏｎ」は、管理センター５−１の集中制御機７０に記憶されている住居Ａ棟の棟制御部４０Ａ，住居Ｂ棟の棟制御部４０Ｂ、住居Ｃ棟の棟制御部４０Ｃの棟制御部ＩＤと同数の項目数として、項目１〜３が表示されている。
図９の「Ｓｅｃｔｉｏｎ  Ｎａｍｅ」には、住居Ａ棟の棟制御部４０Ａの棟制御部ＩＤとして「ＴＥＮＡＮＴ  ＳＥＣＴＩＯＮ  １」、住居Ｂ棟の棟制御部４０Ｂの棟制御部ＩＤとして「ＴＥＮＡＮＴ  ＳＥＣＴＩＯＮ  ２」、住居Ｃ棟の棟制御部４０Ｃの棟制御部ＩＤとして「ＴＥＮＡＮＴ  ＳＥＣＴＩＯＮ  ３」が表示されている。
「ＩＰ  Ａｄｄｒｅｓｓ」は棟制御部の通信用のＩＰアドレスを表示しており、住居Ａ棟の棟制御部４０ＡのＩＰアドレスとして「１９２．１６８．１．５１」、住居Ｂ棟の棟制御部４０ＢのＩＰアドレスとして「１９２．１６８．１．５２」、住居Ｃ棟の棟制御部４０ＣのＩＰアドレスとして「１９２．１６８．１．５３」が表示されている。
【００６６】
図１１〜図１３の表示部８４Ａの設定ファイル内容表示欄８４ＡＬには、住居Ａ棟の棟制御部４０Ａが記憶している住居Ａ棟の集合玄関機１０Ａの設定ファイルの内容及び住居Ｂ棟の棟制御部４０Ｂが記憶している住居Ｂ棟の集合玄関機１０Ｂの設定ファイルの内容が表示されている。
図１１の「Ｓｅｃｔｉｏｎ  ＩＤ」は表示部８４Ａに読み込まれた機器に依存する項番である。図１１の「Ｓｅｃｔｉｏｎ  ＩＤ」に表示された数値１は、設定ファイル内容表示欄８４ＡＬの設定ファイル内容が住居Ａ棟の棟制御部４０Ａから読み込まれたことを示し、図１２〜図１３の「Ｓｅｃｔｉｏｎ  ＩＤ」に表示された数値２は、設定ファイル内容表示欄８４ＡＬの設定ファイル内容が住居Ｂ棟の棟制御部４０Ｂから読み込まれた設定ファイル内容であることを示している。
図１１の「Ｅｎｔｒａｎｃｅ  ＩＤ」及び「Ｅｎｔｒａｎｃｅ」は表示部８４Ａに読み込まれた住居Ａ棟の集合玄関機１０Ａ，１１Ａの集合玄関機ＩＤ、「Ｅｎｔｒａｎｃｅ  Ｎａｍｅ」は住居Ａ棟の集合玄関機１０Ａ，１１Ａの位置情報を示しており、設定ファイル内容表示欄８４ＡＬの項番１に示された「Ｅｎｔｒａｎｃｅ  ＩＤ」が「２」、「Ｅｎｔｒａｎｃｅ」が「０１０２」、「Ｅｎｔｒａｎｃｅ  Ｎａｍｅ」が「ＣＥＮＴＥＲ」は、住居Ａ棟の集合玄関機１０Ａの集合玄関機が住居Ａ棟の中央玄関口に配置されて、集合玄関機ＩＤが「２」「０１０２」であることを表示している。
【００６７】
＜設定装置の動作＞
以下、設定装置により各種機器の設定登録を行う動作の一例を、図１、図６〜図１３を用いて説明する。図６〜図１３に示す表示部８４Ａとして、本実施形態ではマウスを外部入力手段とするパソコン装置を用いている。
【００６８】
＜動作例１＞
動作例１として、設定ファイルの既登録内容を、未登録の設定ファイルに、個別に複写する場合を説明する。
一例として、自棟の集合玄関機の既登録設定ファイルの設定登録内容を参照して、自棟に新設する集合玄関機の設定ファイルの登録を行う場合を説明する。
ここで、集合玄関機の設定内容は、既登録の他の集合玄関機の設定内容のすべてと同一内容にしてよい場合もあるが、各集合玄関機の配置等により異なる設定内容とする場合もある。
図６及び図７に示す集合玄関機１１Ａの設定内容については、図６及び図７に示す集合玄関機１０Ａと異なる設定内容にするかどうかの確認を行った結果、図６に示す集合玄関機１０Ａの１０１号室の設定内容は集合玄関機１１Ａに用いないが、図６に示す集合玄関機１０Ａの１０２号室の設定内容は集合玄関機Ｂの設定内容においても同一とすることを決定しており、以下、この集合玄関機１０Ａの１０２号室の複写による設定について説明する。
【００６９】
図６には、表示部８４Ａの設定ファイル内容表示欄８４ＡＬに、住居Ａ棟の集合玄関機１０Ａの設定ファイルに記憶されている項目が表示されている。図６の設定ファイル内容表示欄８４ＡＲには、増設される集合玄関機１１Ａの設定ファイル欄が空欄で表示されており、集合玄関機１１Ａの設定ファイルが未登録の状態であることが示されている。
【００７０】
集合玄関機１０Ａの１０２号室のデータを集合玄関機１１Ａの設定ファイルに登録するには、図６の「Ｒｅｇｉｓｔｒａｔｉｏｎ」の２（１０２号室）の行の右側に位置するＣｏｐｙ指示欄８４ＡＣの「Ｔｏ  Ｒｉｇｈｔ」欄の「＞＞」ボタンを、マウスのクリック等で選択する操作を行う。この選択する操作の実行により、図７の設定ファイル内容表示欄８４ＡＲに示されたとおり、集合玄関機１１Ａの設定内容として、「Ｒｅｇｉｓｔｒａｔｉｏｎ」の項番２欄に集合玄関機１０Ａの「Ｒｅｇｉｓｔｒａｔｉｏｎ」の項番２欄の設定内容と同一内容が複写されて貼り付けられる。
この貼り付けられた内容が正しいことを確認した後、図７のデータ更新指示部８４Ａｕｐをマウスのクリック等で選択する。この選択操作により、表示部８４Ａの設定ファイル内容表示欄８４ＡＲに表示されている集合玄関機１０Ａの１０２号室のデータが、集合玄関機１１Ａの１０２号室のデータとして、集合玄関機１１Ａの設定ファイルに登録される。
集合玄関機１１Ａの設定ファイルに登録された内容を保存するには、表示部８４Ａの「Ｓａｖｅ」欄をクリック等で選択する。この選択操作により、表示部８４Ａの設定ファイル内容表示欄８４ＡＲに表示されている集合玄関機１０Ａの１０２号室のデータは、集合玄関機１１Ａの１０２号室のデータとして、集合玄関機１１Ａの設定ファイルを記憶する制御部に保存される。
【００７１】
このように、従来は「Ｕｎｉｔ」「Ｒｅｓｉｄｅｎｔ  Ｎａｍｅ」「Ｃａｌｌ  Ｂｕｔｔｏｎ」「Ｕｎｉｔ  Ｌｉｎｋ−ＩＤ  Ｓｅｔｔｉｎｇ」の各項目を手入力で登録していた作業を、Ｃｏｐｙ指示欄８４ＡＣの「Ｔｏ  Ｒｉｇｈｔ」欄の「＞＞」ボタンを選択するという一つの作業で完了させることができる。このため、手入力による設定内容の入力ミスを防ぐことができ、既登録の設定ファイルの内容を損なうことなく未登録の設定ファイルの内容に登録することができ、集合玄関機１１Ｂ等の各種機器の設定登録の効率が格段に向上する。
【００７２】
＜動作例２＞
動作例２として、設定ファイルの既登録内容を、未登録の設定ファイルに、一括して複写する場合を説明する。
例として、自棟の集合玄関機の既登録内容の設定ファイルを参照し、集合玄関機の既登録内容のすべてを、自棟の別の集合玄関機の未登録の設定ファイルに複写する場合を説明する。図６及び図８は、住居Ａ棟の集合玄関機１０Ａの既登録の設定ファイルの内容すべてを、自棟の集合玄関機１１Ａの未登録設定ファイルに複写する操作の説明図である。
【００７３】
図６の設定ファイル内容表示欄８４ＡＬに、集合玄関機１０Ａの既登録の設定内容が表示されている。図６の設定ファイル内容表示欄８４ＡＲには、未登録の設定ファイルを有する集合玄関機１１Ａが示されている。
図６の表示部８４Ａにおいて全Ｃｏｐｙ指示欄８４Ａａｌｌの「＞＞」ボタンをクリック等で選択すると、図６の設定ファイル内容表示欄８４ＡＬの集合玄関機１０Ａの設定ファイルの既登録内容の全項目が図６の設定ファイル内容表示欄８４ＡＲの集合玄関機１１Ａの未登録領域に複写されて貼り付けられる。図８はこの貼り付け操作が完了した状態を示している。
設定ファイル内容表示欄８４ＡＲに貼り付けられたデータのデータ更新指示部８４Ａｕｐによる登録及び「Ｓａｖｅ」欄による保存は、図６と同様であるので省略する。
【００７４】
このように、従来は「Ｕｎｉｔ」「Ｒｅｓｉｄｅｎｔ  Ｎａｍｅ」「Ｃａｌｌ  Ｂｕｔｔｏｎ」「Ｕｎｉｔ  Ｌｉｎｋ−ＩＤ  Ｓｅｔｔｉｎｇ」の各項目を手入力で登録し、この登録を設定機器のすべての設定項目を登録していた作業を、全Ｃｏｐｙ指示欄８４Ａａｌｌの「Ｔｏ  Ｒｉｇｈｔ」欄の「＞＞」ボタンの選択操作という一つの作業で完了させることができ、手入力を繰り返すことによる入力ミスを防ぐことができる。全Ｃｏｐｙ指示欄８４Ａａｌｌの選択により、複数の項目の複写作業を一度のクリック等の選択で行うことができるので、集合玄関機Ｂの設定登録の効率がさらに向上する。
【００７５】
＜動作例３＞
次に、データの配布、すなわち、既登録の設定ファイルの内容を参照して、複数の機器の設定ファイルに複写により登録する場合を説明する。図９及び図１０は、管理センター５−１の集中制御部７０の既登録の設定ファイルを参照しながら、管理センター５−２の棟制御部４０の設定ファイルを複写により登録する操作の説明図である。
【００７６】
図９の設定ファイル内容表示欄８４ＡＬには、管理センター５−１の集中制御部７０の既登録の設定ファイルの内容として、管理センター５−１に接続されている棟制御部４０Ａ、４０Ｂ，４０Ｃの設定ファイルに登録済の項目が表示されている。
図９の設定ファイル内容表示欄８４ＡＲには、管理センター５−２の棟制御部７０の設定ファイルの内容として、管理センター５−２の棟制御部４０の設定ファイルが空欄で表示されており、管理センター５−２の棟制御部４０の設定ファイルが未登録状態であることが示されている。
【００７７】
管理センター５−１の集中制御部７０の既登録の設定ファイルを参照しながら、管理センター５−２の棟制御部４０の設定ファイルを複写により登録するには、図９の表示部８４Ａの全Ｃｏｐｙ指示欄８４Ａａｌｌの「＞＞」ボタンをクリック等で選択する。この選択操作により、図１０の設定ファイル内容表示欄８４ＡＲに示すとおり、管理センター５−１の集中制御部７０の設定ファイルの登録内容である棟制御部４０の「Ｓｅｃｔｉｏｎ  ＩＤ」欄、「Ｓｅｃｔｉｏｎ  Ｎａｍａ」欄及び「ＩＰ  Ａｄｄｒｅｓｓ」が、管理センター５−２の集中制御部７０の設定ファイル内容表示欄８４ＡＲに表示された棟制御部４０の設定ファイルの「Ｓｅｃｔｉｏｎ  ＩＤ」欄、「Ｓｅｃｔｉｏｎ  Ｎａｍａ」欄及び「ＩＰ  Ａｄｄｒｅｓｓ」欄に複写されて貼り付けられる。
データ更新指示部８４Ａｕｐを用いる貼り付けられたデータの登録及び「Ｓａｖｅ」欄による保存は、図６と同様であるので、省略する。
【００７８】
このように、既登録の集中制御部の設定ファイルの内容を未登録の棟制御部等の複数機器に複写により登録することができるので、増設する管理センターの棟制御部の制御内容の登録を効率よく行うことができ、増設する管理センター及び各住居棟の制御内容の登録の効率がさらに向上する。
【００７９】
＜動作例４＞
次に、データの収集やマージ、すなわち、既登録の複数の設定ファイルの内容を参照して、一つの設定ファイルを複写により登録する場合を説明する。
一例として、管理センター５−１の住居棟Ａ棟の棟制御部４０Ａの棟制御機４１０Ａの設定ファイルを参照して第１設定を管理センター５−２の集中制御部７０の集中制御機７１０の設定ファイルの各項目の設定登録に複写し、次に、管理センター５−１の住居Ｂ棟の棟制御部４０Ｂの棟制御機４１０Ｂの設定ファイルを参照して第２設定を管理センター５−２の集中制御部７０の集中制御機７１０の設定ファイルの各項目の設定登録に複写することにより、複数の設定登録を順次行う操作を、図１及び図１１〜１３を用いて説明する。
【００８０】
図１１の設定ファイル内容表示欄８４ＡＬには、管理センター５−１の住居Ａ棟の棟制御部４０Ａ、管理センター５−１の住居Ｂ棟の棟制御部４０Ｂ、管理センター５-１の住居Ｃ棟の棟制御部４０Ｃが示され、図１１の設定ファイル内容表示欄８４ＡＲには管理センター５−２の集中制御部７０、７０が示されている。
図１１の設定ファイル内容表示欄８４ＡＬに示された管理センター５−１の住居Ａ棟の棟制御部４０Ａ、住居Ｂ棟の棟制御部４０Ｂが設定の参照先であり、図１１の設定ファイル内容表示欄８４ＡＲに示された管理センター５−２の集中制御部７０が設定の貼り付け先である。
【００８１】
図１１では、設定の参照先である棟制御部４０Ａの設定内容として、１行目に「Ｅｎｔｒａｎｃｅ  Ｎａｍｅ」が「ＣＥＮＴＥＲ」及び２行目に「Ｅｎｔｒａｎｃｅ  Ｎａｍｅ」が「ＲＩＧＨＴ」であることが表示されている。
図１１の全Ｃｏｐｙ指示欄８４Ａａｌｌの「＞＞」ボタンをクリック等で選択することにより、設定ファイル内容表示欄８４ＡＬの既登録内容を設定ファイル内容表示欄８４ＡＲに複写して貼り付ける動作が完了して第１設定が登録され、参照先である棟制御部４０Ａの設定内容が図１１の設定ファイル内容表示欄８４ＡＲの管理センター５-２の集中制御部７０の設定内容欄に貼り付けられる。
【００８２】
図１２では、参照先として、管理センター５−１の住居Ｂ棟の棟制御部４０Ｂが示されている。設定内容の貼り付け先は、図１１と同様に、管理センター５−２の集中制御部７０である。
図１２において、設定ファイル内容表示欄８４ＡＬには新たな（二番目の）参照先である棟制御部４０Ｂに予め登録されている設定内容（第２設定）が表示されており、３行目に「Ｅｎｔｒａｎｃｅ  Ｎａｍｅ」が「ＬＥＦＴ」、４行目に「Ｅｎｔｒａｎｃｅ  Ｎａｍｅ」が「ＢＡＣＫ」が表示されている。
図１２のＣｏｐｙ指示欄８４ＡＣの「Ｔｏ  ｒｉｇｈｔ」欄の「＞＞」ボタンをクリック等で選択することにより、各行単位で、管理センター５−１の棟制御部４０Ｂの設定登録内容が、管理センター５−２の集中制御部７０の設定に複写されて貼り付けられる。
【００８３】
図１３は、図１１及び図１２の操作により、管理センター５−１の住居Ａ棟の棟制御部４０Ａの設定登録内容（第１設定）及び管理センター５−１の住居Ｂ棟の棟制御部４０Ｂの設定登録内容（第２設定）が、管理センター５−２の集中制御部７０に集められた状態を示している。
データ更新指示部８４Ａｕｐを用いるデータの登録及び「Ｓａｖｅ」ボタンによる保存は、図６と同様であるので省略する。
【００８４】
このように、複数の異なる設定ファイルの内容を、一つの未登録の設定ファイルに集めることにより、より効率的に設定登録を行うことができる。この設定登録により、例えば、既存住居棟よりも部屋数の多い増設住居棟の設定ファイルの内容を、既存住居棟の棟制御機の既登録設定ファイル内容の複写により登録することもでき、増設する住居棟の設定登録をより効率的に行うことができる。
【００８５】
なお、本発明は、上述した実施形態に限定されず、適宜、変形、改良等が自在である。その他、上述した実施形態における各構成要素の形状、形態、数、配置場所等は、本発明を達成できるものであれば任意であり、限定されない。
【符号の説明】
【００８６】
１０Ａ、１１Ａ，１２Ａ、１０Ｂ，１１Ｂ，１２Ｂ：集合玄関機
２０Ａ，２０Ｂ：管理室親機
３０Ａ，３１Ａ，３２Ａ，３３Ａ，３４Ａ，３５Ａ、３０Ｂ，３１Ｂ，３２Ｂ，３３Ｂ，３４Ｂ，３５Ｂ：居室親機
４０Ａ，４０Ｂ：棟制御部
５−１，５−２：管理センター
５０：集中集合玄関機
６０：集中管理室親機
７０：集中制御部
８：設定装置
８１Ａ、８２Ａ，８３Ａ：接続部
８４Ａ：表示部
８５Ａ：制御部
Ｌ１，Ｌ２，Ｌ３，Ｌ４，Ｌ５，Ｌ６：インターホン回線
【図１】
0006706336.tif 000002
【図２】
0006706336.tif 000003
【図３】
0006706336.tif 000004
【図４】
0006706336.tif 000005
【図５】
0006706336.tif 000006
【図６】
0006706336.tif 000007
【図７】
0006706336.tif 000008
【図８】
0006706336.tif 000009
【図９】
0006706336.tif 000010
【図１０】
0006706336.tif 000011
【図１１】
0006706336.tif 000012
【図１２】
0006706336.tif 000013
【図１３】
0006706336.tif 000014